(57)【要約】【課題】  ユーザが事前に物理ディスクの増設時期を予測し、計画的に運用することが可能な、ディスクアレイ装置を提供する。【解決手段】  物理ディスクの集合体をプールという単位で管理し、プール容量から実際に使用する分だけ論理ディスクに割り当てて使用するような仮想論理ディスク機能を有するディスクアレイ装置において、  プール割当容量の推移を履歴で提示する。ユーザは容量増加の傾向を把握できることにより、物理ディスク増設の必要時期を予測できるなど計画的な保守運用ができる【選択図】      図１
2006133951.tif 000002
【特許請求の範囲】
【請求項１】
物理ディスクの集合体をプールという単位で管理し、プール容量から実際に使用する分だけ論理ディスクに割り当てて使用するような仮想論理ディスク機能を有するディスクアレイ装置において、
プール割当容量の推移を履歴で提示することを特徴とするディスクアレイ装置。
【請求項２】
プール割当容量を定期的にメモリ上のテーブルに記憶することを特徴とする請求項１に記載のディスクアレイ装置。
【請求項３】
プール割当容量の記録テーブルを複数個管理しておくことにより、複数世代のプール容量を履歴として管理することを特徴とする請求項１及び２に記載のディスクアレイ装置。
【発明の詳細な説明】
【技術分野】
【０００１】
本発明は、ディスクアレイ装置に関し、特にホストからの論理ディスクへの更新処理に応じて、動的に物理ディスク容量を論理ディスク容量として割り当てていくような仮想論理ディスク機能を有するディスクアレイ装置に関する。
【背景技術】
【０００２】
ホストからの論理ディスクへの更新処理に応じて、動的に物理ディスク容量を論理ディスク容量として割り当てていくような仮想論理ディスク機能を有するディスクアレイ装置では、残物理ディスク容量をしきい値で監視しておく装置がある（例えば、特許文献１参照。）。
【０００３】
【特許文献１】特開２００３−３００１３号公報特許文献１に開示された装置に示される通り一般的に、そのしきい値を越えた時点でアラームをあげてユーザに物理ディスクの増設を促す方法がとられている。
【発明の開示】
【発明が解決しようとする課題】
【０００４】
しかし、このような物理ディスク容量の監視方法では、ユーザが事前に物理ディスクの増設時期を予測し、計画的に運用することが困難であるという問題がある。その理由は、ユーザは物理ディスク容量の不足をしきい値を越えたときのディスクアレイ装置からのアラームでしか判断できないため、アラームがあがる時期を特定することは困難であり、またアラームがあがった時点で直ちに物理ディスクを購入し、増設する必要があるということである。
【０００５】
本発明の目的は上記の問題点を解決するストレージシステムを提供することにある。
【課題を解決するための手段】
【０００６】
本発明のディスクアレイ装置は、物理ディスクの集合体をプールという単位で管理し、プール容量から実際に使用する分だけ論理ディスクに割り当てて使用するような仮想論理ディスク機能を有するディスクアレイ装置において、プール割当容量の推移を履歴で提示することを特徴とする。
【発明の効果】
【０００７】
本発明の第１の効果は、ユーザは容量増加の傾向を把握できることにより、物理ディスク増設の必要時期を予測できるなど計画的な保守運用ができることである。その理由は、プール割当容量の推移を履歴で提示したためである。
【発明を実施するための最良の形態】
【０００８】
発明を実施するための最良の形態を説明する。
【実施例１】
【０００９】
（構成）
本発明のディスクアレイ装置は、プール割当容量を複数世代記憶できるプール割当容量記録テーブルと、プール割当容量を一定間隔でプール割当容量記録テーブルに記憶するプール割当容量監視手段と、プール割当容量記録テーブルに記憶されているプール割当容量の履歴を報告するプール割当容量履歴報告手段を有する。
【００１０】
図１と図２を用いて実施例の構成をより具体的に説明する。本発明のディスクアレイ装置1はホスト100と接続され、ホスト100からの指示によりデータの更新や参照が行われる。ディスクアレイ装置1は複数の物理ディスク41〜43をプール40という単位で管理しており、プールごとにプール情報管理部30をもっている。プール情報管理部30にはプール番号300、プール総容量301、プール割当容量302、残物理領域303、論理ディスクの論理領域と実際にデータが書き込まれる物理ディスク郡の物理領域の対応関係を示す変換マップ304を設けている。
【００１１】
また、プール割当容量記録テーブル20はプールごとにプール総容量400、プール割当容量401、プール割当容量採取時刻402を要素にもち、プール割当容量監視手段10により更新される。
【００１２】
プール割当容量履歴報告手段11はプール割当容量記録テーブル20に保持されているプール割当容量の履歴を、ホスト100や保守端末200に対して報告する。
（動作）
ホスト100がディスクアレイ装置1に対して論理ディスク番号と論理アドレスとサイズを指定してデータの更新要求を発行すると、ディスクアレイ装置1は指定された論理ディスクの論理アドレスから要求サイズ分に対応する論理領域を、図３のように変換マップから対応する物理領域に変換して更新処理を行う。このとき更新要求が発行された論理領域に対応する物理領域が変換マップに存在しない場合、プール情報管理部30の残物理領域303から適当な物理領域を検索し、変換マップに対応関係を記録することにより割り当てを行って更新処理を実行する。同時にプール情報管理部30のプール割当容量302と残物理領域303を変更する。プール割当容量監視手段10はプール情報管理部30のプールの割当容量302を一定間隔で監視しており、定期的にプール割当容量記録テーブル20の各要素に情報の登録を行う。
【００１３】
ここで図２はプール割当容量記録テーブル20の詳細図である。図２を見るとテーブルにはプール割当容量記録領域400〜403が複数設けられており、それぞれの領域にはプール総容量500、プール割当容量501、プール割当容量採取時刻502が記録できる。プール割当容量監視手段10は定期的にその時点でのプール総容量、プール割当容量をプール情報管理部30から取得し、プール割当容量記録テーブル20の空きテーブルをひとつ選び対応するエリアに情報を記録する。また同時に情報を取得した時刻をプール割当容量採取時刻として同じ領域に記録する。プール割当容量記録テーブル20に空き領域がなくなった場合には最も古いプール割当容量採取時刻をもつ領域の情報を削除し、そこに新しい情報を記録する。このようにして十分な時間が経過すると、プール割当容量記録テーブル20には複数世代の情報が履歴として記録されるようになる。
ホスト100および保守端末200から、プール割当容量の履歴の報告要求が発行された場合、プール割当容量履歴報告手段11はプール割当容量記録テーブル20に登録されている情報を複数世代分履歴で報告する。ユーザはプール総容量に対するプール割当容量の推移をプール割当容量取得時刻から判断して、物理ディスクの増設が必要な時期を予測する。
【産業上の利用可能性】
【００１４】
ホストからの論理ディスクへの更新処理に応じて、動的に物理ディスク容量を論理ディスク容量として割り当てていくような仮想論理ディスク機能を有するディスクアレイ装置において利用可能である。
【図面の簡単な説明】
【００１５】
【図１】本発明のディスクアレイ装置１の構成を示した図
【図２】プール情報管理部３０の構成を示した図
【図３】変換マップ３０４の説明図
【図４】プール割当容量記録テーブルの説明図
【図５】プール割当容量採取時刻とプール割当容量の関係を示した図
【符号の説明】
【００１６】
１  ディスクアレイ装置
１０  プール割当容量監視手段
１１  プール割当容量履歴報告手段
２０  プール割当容量記録テーブル
３０  プール情報管理部
４０  プール
４１  物理ディスク
４２  物理ディスク
４３  物理ディスク
５０  論理ディスク
１００  ホスト
２００  保守端末
３００  プール番号
３０１  プール層容量
３０２  プール割当容量
３０３  残物理領域
３０４  変換マップ
４００  プール割当容量記録領域
４０１  プール割当容量記録領域
４０２  プール割当容量記録領域
４０３  プール割当容量記録領域
５００  プール総容量
５０１  プール割当容量
５０２  プール割当容量採取時間
【図１】
2006133951.tif 000003
【図２】
2006133951.tif 000004
【図３】
2006133951.tif 000005
【図４】
2006133951.tif 000006
【図５】
2006133951.tif 000007